(57)【特許請求の範囲】
【請求項１】
論理チャネルにリソースを割り当てる方法であって、
論理チャネルの複数の優先ビットレートＰＢＲを決定するステップと、
ネットワーク装置から送信された第１シグナリングを受信し、前記第１シグナリングは物理層シグナリング又は媒体アクセス制御シグナリングであるステップと、
前記第１シグナリングに基づいて、前記複数のＰＢＲの中でターゲットＰＢＲを決定するステップと、
前記ターゲットＰＢＲに基づいて、前記論理チャネルに許可リソースを割り当てる案を決定するステップと、
前記ネットワーク装置から送信された第２シグナリングを受信し、前記第２シグナリングは前記ターゲットＰＢＲを調整するのを指示することに用いられ、前記第２シグナリングは物理層シグナリング又は媒体アクセス制御シグナリングであるステップと、
前記第２シグナリングに基づいて、前記ターゲットＰＢＲを無限大に設定するステップと、を含むことを特徴とする、論理チャネルにリソースを割り当てる方法。
【請求項２】
前記第１シグナリングに基づいて、前記複数のＰＢＲの中で前記ターゲットＰＢＲを決定することは、
前記第１シグナリングに指示情報が含まれると判定した場合、前記指示情報に基づいて、前記ターゲットＰＢＲを決定し、前記指示情報はターゲットＰＢＲを示すことに用いられることと、
前記第１シグナリングに前記指示情報が含まれないと判定した場合、前記複数のＰＢＲの中のデフォルトＰＢＲが前記ターゲットＰＢＲであると決定することと、を含むことを特徴とする、請求項１に記載の方法。
【請求項３】
前記複数のＰＢＲは複数の基本パラメータセットに１対１で対応し、前記方法は、
前記複数のＰＢＲと前記複数の基本パラメータセットとの対応関係に基づいて、前記ターゲットＰＢＲに対応するターゲット基本パラメータセットを決定するステップと、
前記ターゲット基本パラメータセットに基づいて、前記許可リソースにキャリアされるデータを転送するステップと、を更に含むことを特徴とする、請求項１に記載の方法。
【請求項４】
前記複数のＰＢＲは複数の転送時間間隔ＴＴＩに１対１で対応し、前記方法は、
前記複数のＰＢＲと前記複数のＴＴＩとの対応関係に基づいて、前記ターゲットＰＢＲに対応するターゲットＴＴＩを決定するステップと、
前記ターゲットＴＴＩに基づいて、前記許可リソースにキャリアされるデータを転送するステップと、を更に含むことを特徴とする、請求項２又は３に記載の方法。
【請求項５】
前記指示情報は前記ターゲットＰＢＲに対応するインデックスであることを特徴とする、請求項２〜４のいずれか一項に記載の方法。
【請求項６】
前記指示情報は前記ターゲット基本パラメータセットのインデックスであることを特徴とする、請求項３に記載の方法。
【請求項７】
前記指示情報は前記ターゲットＴＴＩであることを特徴とする、請求項４に記載の方法。
【請求項８】
前記指示情報はハイブリッド自動再送要求ＨＡＲＱのプロセス番号であり、前記ＨＡＲＱのプロセス番号は前記ターゲット基本パラメータセットに対応することを特徴とする、請求項３に記載の方法。
【請求項９】
前記方法は、
前記ネットワーク装置から送信された第３シグナリングを受信し、前記第３シグナリングは、前記論理チャネルの変数Ｂｊを調整するのを指示することに用いられ、前記Ｂｊは、前記論理チャネルに対応するトークンバケットにおける利用可能なトークンの数を表すステップと、
前記第３シグナリングに基づいて、前記Ｂｊを０以下に設定するステップと、を更に含み、
前記ターゲットＰＢＲに基づいて、前記論理チャネルに許可リソースを割り当てる案を決定することは、
前記ターゲットＰＢＲおよび前記Ｂｊに基づいて、前記論理チャネルに前記許可リソースを割り当てる案を決定することを含むことを特徴とする、請求項１〜８のいずれか一項に記載の方法。
【請求項１０】
論理チャネルの複数のＰＢＲを決定することは、
前記ネットワーク装置から送信された上位層シグナリングを受信し、前記上位層シグナリングは前記複数のＰＢＲを示すことに用いられることと、
前記上位層シグナリングに基づいて、前記複数のＰＢＲを決定することと、を含むことを特徴とする、請求項１に記載の方法。
【請求項１１】
前記方法は、
前記論理チャネルの優先度と前記論理チャネルのトークンバケットの長さＢＳＤを決定するステップを更に含み、
前記ターゲットＰＢＲに基づいて、前記論理チャネルに許可リソースを割り当てる案を決定することは、
前記ターゲットＰＢＲ、前記優先度、及び前記ＢＳＤに基づいて、前記論理チャネルに許可リソースを割り当てる案を決定することを含むことを特徴とする、請求項１〜１０のいずれか一項に記載の方法。
【請求項１２】
端末装置であって、
ネットワーク装置から送信された第１シグナリングを受信し、前記第１シグナリングは物理層シグナリング又は媒体アクセス制御シグナリングである受信ユニットと、
論理チャネルの複数の優先ビットレートＰＢＲを決定し、前記第１シグナリングに基づいて、前記複数のＰＢＲの中でターゲットＰＢＲを決定する決定ユニットと、を含み、
前記決定ユニットは更に、前記ターゲットＰＢＲに基づいて、前記論理チャネルに許可リソースを割り当てる案を決定することに用いられ、
前記受信ユニットは更に、前記ネットワーク装置から送信された第２シグナリングを受信することに用いられ、前記第２シグナリングは前記ターゲットＰＢＲを調整するのを指示することに用いられ、前記第２シグナリングは物理層シグナリング又は媒体アクセス制御シグナリングであり、
前記決定ユニットは更に、前記第２シグナリングに基づいて、前記ターゲットＰＢＲを無限大に設定することに用いられることを特徴とする端末装置。
【請求項１３】
前記決定ユニットは具体的には、
前記第１シグナリングにターゲットＰＢＲを指示するための指示情報が含まれると判定した場合、前記指示情報に基づいて前記ターゲットＰＢＲを決定し、
前記第１シグナリングに前記指示情報が含まれないと判定した場合、前記複数のＰＢＲの中のデフォルトＰＢＲが前記ターゲットＰＢＲであると決定することに用いられることを特徴とする、請求項１２に記載の端末装置。
【請求項１４】
前記複数のＰＢＲは複数の基本パラメータセットに１対１で対応し、前記決定ユニットは更に、
前記複数のＰＢＲと前記複数の基本パラメータセットとの対応関係に基づいて、前記ターゲットＰＢＲに対応するターゲット基本パラメータセットを決定し、
前記ターゲット基本パラメータセットに基づいて、前記許可ソースにキャリアされるデータを転送することに用いられることを特徴とする、請求項１３に記載の端末装置。
【請求項１５】
前記複数のＰＢＲは複数の転送時間間隔ＴＴＩに１対１で対応し、前記決定ユニットは更に、
前記複数のＰＢＲと前記複数のＴＴＩとの対応関係に基づいて、前記ターゲットＰＢＲに対応するターゲットＴＴＩを決定し、
前記ターゲットＴＴＩに基づいて、前記許可リソースにキャリアされるデータを転送することに用いられることを特徴とする、請求項１３又は１４に記載の端末装置。
【請求項１６】
前記指示情報は前記ターゲットＰＢＲに対応するインデックスであることを特徴とする、請求項１３〜１５のいずれか一項に記載の端末装置。
【請求項１７】
前記指示情報は前記ターゲット基本パラメータセットのインデックスであることを特徴とする、請求項１４に記載の端末装置。
【請求項１８】
前記指示情報は前記ターゲットＴＴＩであることを特徴とする、請求項１５に記載の端末装置。
【請求項１９】
前記指示情報はハイブリッド自動再送要求ＨＡＲＱのプロセス番号であり、前記ＨＡＲＱのプロセス番号は前記ターゲット基本パラメータセットに対応することを特徴とする、請求項１４に記載の端末装置。
【請求項２０】
前記受信ユニットは更に、
前記ネットワーク装置から送信された第３シグナリングを受信することに用いられ、前記第３シグナリングは前記論理チャネルの変数Ｂｊを調整するのを指示することに用いられ、前記Ｂｊは、前記論理チャネルに対応するトークンバケットにおける利用可能なトークンの数を表し、
前記決定ユニットは更に、
前記第３シグナリングに基づいて前記Ｂｊを０以下に設定し、
前記ターゲットＰＢＲおよび前記Ｂｊに基づいて、前記論理チャネルに前記許可リソースを割り当てる案を決定することに用いられることを特徴とする、請求項１２〜１９のいずれか一項に記載の端末装置。
【請求項２１】
前記決定ユニットは具体的に、
前記ネットワーク装置から送信された上位層シグナリングを受信することに用いられ、前記上位層シグナリングは前記複数のＰＢＲを示すことに用いられ、
前記上位層シグナリングに基づいて、前記複数のＰＢＲを決定することを特徴とする、請求項１３に記載の端末装置。
【請求項２２】
前記決定ユニットは更に、
前記論理チャネルの優先度と前記論理チャネルのトークンバケットの長さＢＳＤとを決定し、
前記ターゲットＰＢＲ、前記優先度、及び前記ＢＳＤに基づいて、前記論理チャネルに許可リソースを割り当てる案を決定することに用いられることを特徴とする、請求項１２〜２１のいずれか一項に記載の端末装置。
【請求項２３】
端末装置であって、
プロセッサと送受信機とを含み、
前記送受信機は、ネットワーク装置から送信された第１シグナリングを受信することに用いられ、前記第１シグナリングは物理層シグナリング又は媒体アクセス制御シグナリングであり、
前記プロセッサは、論理チャネルの複数の優先ビットレートＰＢＲを決定し、前記第１シグナリングに基づいて、前記複数のＰＢＲの中でターゲット優先ビットレートＰＢＲを決定することに用いられ、
前記プロセッサは更に、前記ターゲットＰＢＲに基づいて、前記論理チャネルに許可リソースを割り当てる案を決定することに用いられ、
前記送受信機は更に、前記ネットワーク装置から送信された第２シグナリングを受信することに用いられ、前記第２シグナリングは前記ターゲットＰＢＲを調整するのを指示することに用いられ、前記第２シグナリングは物理層シグナリング又は媒体アクセス制御シグナリングであり、
前記プロセッサは更に、前記第２シグナリングに基づいて、前記ターゲットＰＢＲを無限大に設定することに用いられることを特徴とする端末装置。
【発明の詳細な説明】
【技術分野】
【０００１】
本発明は通信分野に関し、特に論理チャネルにリソースを割り当てる方法、端末装置およびネットワーク装置に関する。
【背景技術】
【０００２】
ＬＴＥシステムでは、論理チャネル優先度(ＬＣＰ、ｌｏｇｉｃａｌ  ｃｈａｎｎｅｌ  ｐｒｉｏｒｉｔｙ)によって、異なる論理チャネルにリソースを割り当てる過程で、無線リソース制御(ＲＲＣ、Ｒａｄｉｏ  Ｒｅｓｏｕｒｃｅ  Ｃｏｎｔｒｏｌ)が各論理チャネル(ＬＣ、ｌｏｇｉｃａｌ  ｃｈａｎｎｅｌ)に、優先度（ｐｒｉｏｒｉｔｙ）、優先度ビットレート（ＰＢＲ、ｐｒｉｏｒｉｔｙ  ｂｉｔ  ｒａｔｅ）、トークンバケットの長さ（ＢＳＤ、ｂｕｃｋｅｔ  ｓｉｚｅ  ｄｕｒａｔｉｏｎ）の３つのパラメータを設定し、メディアアクセス制御(ＭＡＣ、Ｍｅｄｉａ  Ａｃｃｅｓｓ  Ｃｏｎｔｒｏｌ)は、これらの３つのパラメータに基づいて、各論理チャネルがリソースを獲得する順序を決定する。
【０００３】
具体的には、ｐｒｉｏｒｉｔｙは、論理チャネル中のデータのスケジューリングされる順序を決定し、ｐｒｉｏｒｉｔｙが大きいほど優先度が低い。ＰＢＲは、スケジューリングされる各論理チャネルへのリソース割り当てのサイズを決定し、ＰＢＲとＢＳＤは、各論理チャネルのスケジューリングできるリソースの上限を決定する。ＲＲＣによって設定されるこれら３つのパラメータに加えて、ＭＡＣエンティティは更に各論理チャネルに変数Ｂｊを維持し、Ｂｊの初期値は０に設定され、転送時間間隔(ＴＴＩ、  Ｔｒａｎｓｍｉｓｓｉｏｎ  Ｔｉｍｅ  Ｉｎｔｅｒｖａｌ)の増加につれて増加し、毎回の増加量はＰＢＲ＊ＴＴＩであり、その上限はＰＢＲ＊ＢＳＤである。
【０００４】
ＬＴＥ  ＭＡＣプロトコルは、論理チャネル優先度プロセスを規定し、ユーザ装置(ＵＥ、Ｕｓｅｒ  Ｅｑｕｉｐｍｅｎｔ)がアップリンク・リソースの許可を取得すると、ＵＥは該規定された論理チャネル優先度プロセスに基づいて、許可リソースを異なる論理チャネルに割り当てる。該プロセスは、主に以下のステップで構成される。
【０００５】
ステップ１ 、すべてのＢｊ＞０の論理チャネルに対してｐｒｉｏｒｉｔｙでソートし、そして優先度が高い順にＰＢＲ＊ＴＴＩのリソースを各論理チャネルに割り当てる。ある論理チャネルのＰＢＲがＲＲＣによって無限大(ｉｎｆｉｎｉｔｙ)に設定された場合、ＭＡＣは、他のより低い優先度へサービスを提供する前に、該論理チャネルに十分なリソースを割り当てて、該論理チャネルのデータがすべてスケジューリングされるようにする。
【０００６】
ステップ２、ＭＡＣエンティティはＢｊ値を更新し、Ｂｊから、対応する論理チャネルがサービスされた無線リンク層コントロール(ＲＬＣ、Ｒａｄｉｏ Ｌｉｎｋ  Ｃｏｎｔｒｏｌ)プロトコルデータユニット(ＰＤＵ、Ｐｒｏｔｏｃｏｌ  Ｄａｔａ  Ｕｎｉｔ)の合計サイズを差し引く。
【０００７】
ステップ３ 、ステップ１を実行した後に、もし許可リソースの余剰がある場合、すべての論理チャネルを、Ｂｊのサイズに関係なく、ｐｒｉｏｒｉｔｙでソートし、そして順番にスケジューリングする。各論理チャネルにあたっては、該論理チャネルのデータが全てスケジューリングされ、または余剰の許可リソースが全て使われた後、始めて次の論理チャネルにサービスを移行する。
【０００８】
現在、５Ｇ  ＮＲの技術では、論理チャネル優先度ソートのプロセスについて、既に初歩的な共通認識が達成され、即ちＬＴＥ論理チャネル優先度ソートのプロセスをベースライン（ｂａｓｅｌｉｎｅ）として使用する。しかし、ＮＲでは、異なるリソースが複数の異なる基本パラメータセット(ｎｕｍｅｒｏｌｏｇｙ)を使用することがサポートされるため、該プロセスには若干の問題もある。例えば、２つのサービス品質(ＱｏＳ、Ｑｕａｌｉｔｙ  ｏｆ  Ｓｅｒｖｉｃｅ)の差が比較的に大きい論理チャネル、例えば低遅延高信頼性のシーン(ＵＲＬＬＣ、Ｕｌｔｒａ−ｒｅｌｉａｂｌｅ  ａｎｄ  Ｌｏｗ  Ｌａｔｅｎｃｙ  Ｃｏｍｍｕｎｉｃａｔｉｏｎｓ)に対応する論理チャネルと拡張モバイルブロードバンドのシーン(ｅＭＢＢ、Ｅｎｈａｎｃｅｄ  Ｍｏｂｉｌｅ  Ｂｒｏａｄ  Ｂａｎｄ)に対応する論理チャネルの場合、該両方の論理チャネル、たとえば短いＴＴＩに対応する論理チャネルがいずれもあるｎｕｍｅｒｏｌｏｇｙにマッピングされる時、ＬＴＥ論理チャネルのソート基準に従うと、ＵＲＬＬＣ論理チャネルのデータにＰＢＲ＊ＴＴＩサイズのリソースがスケジューリングされた後 、ｅＭＢＢ論理チャネルに対応するデータに残りのリソースがスケジューリングされ、そうなると、ＵＲＬＬＣ論理チャネルのデータの遅延 が満たされないことになる。
【発明の概要】
【０００９】
本願は、論理チャネルにリソースを割り当てる方法、端末装置とネットワークデ装置を提供し、論理チャネルの優先度に関するパラメータを動的に調整して、リソース割り当ての効率を向上させることができる。
【００１０】
第１の態様は、論理チャネルにリソースを割り当てる方法を提供し、該方法は、ネットワーク装置から送信された第１シグナリングを受信するステップと、該第１シグナリングに基づいてターゲットＰＢＲを決定するステップと、該ターゲットＰＢＲに基づいて、該論理チャネルに許可リソースを割り当てる案を決定するステップと、を含む。
【００１１】
従って、本願実施例の論理チャネルにリソースを割り当てる方法では、端末装置がネットワーク装置から送信されたシグナリングに基づいて論理チャネルにターゲットＰＢＲを決定し、これで、端末装置が該ターゲットＰＢＲに基づいて論理チャネルに許可リソースを割り当てることができ、これにより、論理チャネルの優先度を動的に調整することを実現し、異なるサービスニーズを満たすことができる。
【００１２】
第１の態様を参照して、第１の態様の１つの実現方式では、該方法は、論理チャネルの複数の優先ビットレートＰＢＲを決定するステップを更に含み、該第１シグナリングに基づいてターゲットＰＢＲを決定することは、該第１シグナリングに基づいて、  該複数のＰＢＲの中で該ターゲットＰＢＲを決定することを含む。
【００１３】
第１の態様及びその上記の実現方式を参照して、第１の態様の別の実現方式では、該第１シグナリングに基づいて、該複数のＰＢＲの中で該ターゲットＰＢＲを決定することは、該第１シグナリングに指示情報が含まれると判定した場合、該指示情報に基づいて該ターゲットＰＢＲを決定し、該指示情報はターゲットＰＢＲを示すことに用いられることと、該第１シグナリングに指示情報が含まれないと判定した場合、該複数のＰＢＲの中のデフォルトＰＢＲがターゲットＰＢＲであると決定することと、を含む。
【００１４】
第１の態様及びその上記の実現方式を参照して、第１の態様の別の実現方式では、該複数のＰＢＲは複数の基本パラメータセットに１対１で対応し、該方法は、該複数のＰＢＲと該複数の基本パラメータセットとの対応関係に基づいて、該ターゲットＰＢＲに対応するターゲット基本パラメータセットを決定するステップと、該ターゲット基本パラメータセットに基づいて、該許可リソースにキャリアされるデータを転送するステップと、を更に含む。
【００１５】
第１の態様及びその上記の 実現方式を参照して、第１の態様の別の実現方式では、該複数のＰＢＲは複数の転送時間間隔ＴＴＩに１対１で対応し、該方法は、該複数のＰＢＲと該複数のＴＴＩとの間の対応関係に基づいて、該ターゲットＰＢＲに対応するターゲットＴＴＩを決定するステップと該ターゲットＴＴＩに基づいて、該許可リソースにキャリアされるデータを転送するステップと、を更に含む。
【００１６】
第１の態様及びその上記の 実現方式を参照して、第１の態様の別の実現方式では、該指示情報は、該ターゲットＰＢＲに対応するインデックスである。
【００１７】
端末装置は、第１シグナリングにおけるインデックスに基づいて、該インデックスに対応するＰＢＲをターゲットＰＢＲとして決定する。
【００１８】
第１の態様及びその上記の実現方式を参照して、第１の態様の別の実現方式では、該指示情報は、該ターゲット基本パラメータセットのインデックスである。
【００１９】
端末装置は、該第１シグナリングにおけるインデックスに基づいて、対応するターゲット基本パラメータセットを決定し、更に、基本パラメータセットとＰＢＲとの対応関係に基づいて、該ターゲット基本パラメータセットに対応するＰＢＲをターゲットＰＢＲとして決定する。
【００２０】
第１の態様及びその上記の実現方式を参照して、第１の態様の別の実現方式では、該指示情報は該ターゲットＴＴＩである。
【００２１】
端末装置は、該第１シグナリングにおける指示情報に基づいてターゲットＴＴＩを決定し、更に、ＴＴＩとＰＢＲとの対応関係に基づいて、該ターゲットＴＴＩに対応するＰＢＲをターゲットＰＢＲとして決定する。
【００２２】
第１の態様及びその上記の実現方式を参照して、第１の態様の別の実現方式では、該指示情報はハイブリッド自動再送要求ＨＡＲＱのプロセス番号であり、該ＨＡＲＱのプロセス番号は、該ターゲット基本パラメータセットに対応する。
【００２３】
端末装置は、第１シグナリングにおけるＨＡＲＱのプロセス番号に基づいて、ターゲット基本パラメータセットを決定し、更に、基本パラメータセットとＰＢＲとの対応関係に基づいて、該ターゲット基本パラメータセットに対応するＰＢＲをターゲットＰＢＲとして決定する。
【００２４】
第１の態様及び上記の実現方式を参照して、第１の態様の別の実現方式では、該方法は、ネットワーク装置から送信された第２シグナリングを受信し、該第２シグナリングは該ターゲットＰＢＲを調整するのを指示することに用いられるステップと、該第２シグナリングに基づいて、該ターゲットＰＢＲを無限大に設定するステップと、を更に含む。
【００２５】
具体的には、端末装置は、第２シグナリングに基づいて、論理チャネルのターゲットＰＢＲを無限大に設定すると、該論理チャネルは、許可リソースの割り当ての時、既存のＬＣＰソート基準に従ってもよく、十分な許可リソースがあれば、端末装置は、該論理チャネルのデータを完全にスケジューリングして、ＵＲＬＬＣクラスのサービスの遅延などの要求を満たすことができる。
【００２６】
第１の態様及びその上記の実現方式を参照して、第１の態様の別の実現方式では、該方法は、該ネットワーク装置から送信された第３シグナリングを受信し、該第３シグナリングは該論理チャネルの変数Ｂｊを調整するのを指示することに用いられ、該Ｂｊは該論理チャネルに対応するトークンバケットにおける利用可能なトークンの数を表すステップと、該第３シグナリングに基づいて、該Ｂｊを０以下に設定するステップと、を更に含み、該ターゲットＰＢＲに基づいて該論理チャネルに許可リソースを割り当てる案を決定することは、該ターゲットＰＢＲ及び該Ｂｊに基づいて、該論理チャネルに該許可リソースを割り当てる案を決定することを含む。
【００２７】
端末装置は、第３シグナリングに基づいて、該論理チャネルのＢｊの値を変更することができ、例えば、Ｂｊを０に調整することができ、そうすると、該Ｂｊに対応する論理チャネルは、最初の許可リソース割り当てでは何のリソースも割り当てられず、他のＢｊが０より大きい論理チャネルは、該最初の許可リソース割り当てで許可リソースが割り当てられる。
【００２８】
第１の態様及びその上記の実現方式を参照して、第１の態様の別の実現方式では、論理チャネルの複数のＰＢＲを決定することは、該ネットワーク装置から送信された上位層シグナリングを受信し、該上位層シグナリングは該複数のＰＢＲを指示することに用いられることと、該上位層シグナリングに基づいて該複数のＰＢＲを決定することと、を含む。
【００２９】
第１の態様及びその上記の実現方式を参照して、第１の態様の別の実現方式では、該方法は、該論理チャネルの優先度と該論理チャネルのトークンバケットの長さＢＳＤを決定するステップを更に含み、該ターゲットＰＢＲに基づいて該論理チャネルに許可リソースを割り当てる案を決定することは、該ターゲットＰＢＲ、該優先度、及び該ＢＳＤに基づいて、該論理チャネルに許可リソースを割り当てる案を決定することを含む。
【００３０】
従って、本願実施例の論理チャネルにリソースを割り当てる方法では、ネットワーク装置が端末装置にシグナリングを送信して、端末装置が該シグナリングに基づいて論理チャネルにターゲットＰＢＲを決定できるようにし、それに対応して、ターゲットｎｕｍｅｒｏｌｏｇｙおよびターゲットＴＴＩを更に決定でき、これで、端末装置は該ターゲットＰＢＲ、ターゲットｎｕｍｅｒｏｌｏｇｙおよびターゲットＴＴＩに基づいて、論理チャネルに許可リソースを割り当てることができ、これにより、論理チャネルの優先度を動的に調整することを実現し、例えば、ＵＲＬＬＣ対応論理チャネルとｅＭＢＢ対応論理チャネルに対して、それぞれ異なるＰＢＲを設定して、異なるサービスニーズを満たすことができる。
【００３１】
第２の態様は、論理チャネルにリソースを割り当てる方法を提供し、該方法は、第１シグナリングを決定し、該第１シグナリングは、端末装置が論理チャネルのターゲット優先ビットレートＰＢＲを決定することに用いられ、該ターゲットＰＢＲは該端末装置が該論理チャネルに許可リソースを割り当てる案を決定することに用いられるステップと、該端末装置に該第１シグナリングを送信するステップと、を含む。
【００３２】
従って、本願実施例の論理チャネルにリソースを割り当てる方法では、ネットワーク装置が端末装置にシグナリングを送信して、端末装置が該シグナリングに基づいて論理チャネルにターゲットＰＢＲを決定するようにし、これで、端末装置が該ターゲットＰＢＲに基づいて論理チャネルに許可リソースを割り当てることができ、これにより、論理チャネルの優先度を動的に調整することを実現し、異なるサービスニーズを満たすことができる。
【００３３】
第２の態様を参照して、第２の態様の１つの実現方式では、該端末装置に該第１シグナリングを送信する前に、該方法は、該端末装置に上位層シグナリングを送信し、該上位層シグナリングは該論理チャネルの複数のＰＢＲを示すことに用いられるステップを更に含み、該第１シグナリングは、該端末装置が該複数のＰＢＲの中で該ターゲットＰＢＲを決定することに用いられる。
【００３４】
第２の態様及びその上記の実現方式を参照して、第２の態様の別の実現方式では、該第１シグナリングは指示情報を含み、該指示情報はターゲットＰＢＲを示すことに用いられる。
【００３５】
第２の態様及びその上記の実現方式を参照して、第２の態様の別の実現方式では、該複数のＰＢＲは複数の基本パラメータセットに１対１で対応し、該ターゲットＰＢＲはターゲット基本パラメータセットに対応する。
【００３６】
第２の態様及びその上記の実現方式を参照して、第２の態様の別の実現方式では、該複数のＰＢＲは複数の転送時間間隔ＴＴＩに１対１で対応し、該ターゲットＰＢＲはターゲットＴＴＩに対応する。
【００３７】
第２の態様及びその上記の実現方式を参照して、第２の態様の別の実現方式では、該指示情報は、該ターゲットＰＢＲに対応するインデックスである。
【００３８】
第２の態様及びその上記の実現方式を参照して、第２の態様の別の実現方式では、該指示情報は、該ターゲット基本パラメータセットのインデックスである。
【００３９】
第２の態様及びその上記の実現方式を参照して、第２の態様の別の実現方式では、該指示情報は該ターゲットＴＴＩである。
【００４０】
第２の態様及びその上記の実現方式を参照して、第２の態様の別の実現方式では、該指示情報は、ハイブリッド自動再送要求ＨＡＲＱのプロセス番号であり、該ＨＡＲＱのプロセス番号は、該ターゲット基本パラメータセットに対応する。
【００４１】
第２の態様及びその上記の実現方式を参照して、第２の態様の別の実現方式では、該方法は、該端末装置に第２シグナリングを送信し、該第２シグナリングは該端末装置が該ターゲットＰＢＲを無限大に設定するのを指示することに用いられるステップを更に含む。
【００４２】
第２の態様とその上記の実現方式を参照して、第２の態様の別の実現方式では、該方法は、該端末装置に第３シグナリングを送信し、該第３シグナリングは該端末装置が該論理チャネルの変数Ｂｊを０以下に設定するのを指示することに用いられ、該Ｂｊは該論理チャネルに対応するトークンバケットにおける利用できるトークンの数を表すステップを更に含む。
【００４３】
第３の態様は端末装置を提供し、該端末装置は上記の第１の態様又は第１の態様のいずれかの可能な実現方式における方法を実行することに用いられる。具体的に、該端末装置は、上記の第１の態様または第１の態様のいずれかの可能な実現方式における方法を実行するためのユニットを含む。
【００４４】
第４の態様はネットワーク装置を提供し、該ネットワーク装置は上記の第２の態様又は第２の態様のいずれかの可能な実現方式における方法を実行することに用いられる。具体的に、該ネットワーク装置は、上記の第２の態様または第２の態様のいずれかの可能な実現方式における方法を実行するためのユニットを含む。
【００４５】
第５の態様は端末装置を提供し、該端末装置はメモリとプロセッサを含み、該メモリは命令を記憶することに用いられ、該プロセッサは該メモリに記憶される命令を実行することに用いられ、そして該プロセッサが該メモリに記憶される命令を実行する時、該実行によって、該プロセッサは第１の態様または第１の態様のいずれかの可能な実現方式における方法を実行することになる。
【００４６】
第６の態様はネットワーク装置を提供し、該ネットワーク装置はメモリとプロセッサを含み、該メモリは命令を記憶することに用いられ、該プロセッサは該メモリに記憶される命令を実行することに用いられ、そして該プロセッサが該メモリに記憶される命令を実行する時、該実行によって、該プロセッサは第２の態様または第２の態様のいずれかの可能な実現方式における方法を実行することになる。
【００４７】
第７の態様はコンピュータ可読媒体を提供し、該コンピュータ可読媒体はコンピュータプログラムを記憶することに用いられ、該コンピュータプログラムは、第１の態様又は第１の態様のいずれかの可能な実現方式における方法を実行するための命令を含む。
【００４８】
第8の態様はコンピュータ可読媒体を提供し、該コンピュータ可読媒体はコンピュータプログラムを記憶することに用いられ、該コンピュータプログラムは、第２の態様又は第２の態様のいずれかの可能な実現方式における方法を実行するための命令を含む。
【図面の簡単な説明】
【００４９】
【図１】本願実施例の論理チャネルにリソースを割り当てる方法の模式的なフローチャートである。
【図２】本願実施例の論理チャネルにリソースを割り当てる方法の他の模式的なフローチャートである。
【図３】本願実施例の端末装置の模式的なブロック図である。
【図４】本願実施例のネットワーク装置の模式的なブロック図である。
【図５】本願実施例の端末装置の他の模式的なブロック図である。
【図６】本願実施例のネットワーク装置の他の模式的なブロック図である。
【発明を実施するための形態】
【００５０】
本願実施例における技術案を、添付の図面を参照しながら以下に説明する。
【００５１】
理解すべきなのは、本願実施例の技術案は、各種の通信システム、例えば、グローバル移動体通信(ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ)システム、符号分割多元接続(ＣＤＭＡ、Ｃｏｄｅ  Ｄｉｖｉｓｉｏｎ  Ｍｕｌｔｉｐｌｅ  Ａｃｃｅｓｓ)システム、広帯域符号分割多元接続(ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ)システム、汎用パケット無線サービス(ＧＰＲＳ、Ｇｅｎｅｒａｌ  Ｐａｃｋｅｔ  Ｒａｄｉｏ  Ｓｅｒｖｉｃｅ)、ＬＴＥシステム、ＬＴＥ周波数分割二重接続（ＦＤＤ、Ｆｒｅｑｕｅｎｃｙ  Ｄｉｖｉｓｉｏｎ  Ｄｕｐｌｅｘ）システム、ＬＴＥ時分割二重（ＴＤＤ、Ｔｉｍｅ  Ｄｉｖｉｓｉｏｎ  Ｄｕｐｌｅｘ）、ユニバーサル移動体通信システム(ＵＭＴＳ、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ)、または マイクロ波利用アクセスに関する世界的な相互運用(ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ)通信システム、及び今後の５Ｇ通信システムなどに適用できる。
【００５２】
本願では、端末装置を組み合わせて、様々な実施例を説明する。端末装置は、ユーザ機器ＵＥ、アクセス端末、加入者ユニット、加入者局、移動局、移動ステーション、遠隔局、遠隔端末、移動機器、ユーザ端末、端末、無線通信機器、ユーザエージェント、またはユーザ装置を指してもよい。アクセス端末は、セルラー電話、コードレス電話、セッション開始プロトコル(ＳＩＰ、Ｓｅｓｓｉｏｎ  Ｉｎｉｔｉａｔｉｏｎ  Ｐｒｏｔｏｃｏｌ)電話、ワイヤレスローカルループ(ＷＬＬ、Ｗｉｒｅｌｅｓｓ  Ｌｏｃａｌ  Ｌｏｏｐ)局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を備えたハンドヘルド装置、計算装置または無線モデムに接続される他の処理装置、車載装置、ウェアラブル装置、今後の５Ｇネットワークにおける端末装置または今後進化するＰＬＭＮネットワークにおける端末装置などであってもよい。
【００５３】
本願では、ネットワーク装置を組み合わせて、様々な実施例を説明する。ネットワーク装置は、端末装置と通信するための装置であってもよく、例えば、ＧＳＭシステムやＣＤＭＡにおける基地局(ＢＴＳ、Ｂａｓｅ  Ｔｒａｎｓｃｅｉｖｅｒ  Ｓｔａｔｉｏｎ)であってもよいし、ＷＣＤＭＡシステムにおける基地局(ＮＢ、ＮｏｄｅＢ)であってもよいし、ＬＴＥシステムにおける進化型基地局(ｅＮＢまたはｅＮｏｄｅＢ、Ｅｖｏｌｕｔｉｏｎａｌ  Ｎｏｄｅ  Ｂ)であってもよいし、あるいは、該ネットワーク装置は、中継局、アクセスポイント、車載装置、ウェアラブル装置、及び今後の５Ｇネットワークにおけるネットワーク側装置や、今後進化するPLMNネットワークにおけるネットワーク側装置などであってもよい。
【００５４】
図１は、本願実施例の論理チャネルにリソースを割り当てる方法１００の模式的なフローチャートを示す。具体的には、該方法１００は、端末装置によって実行でき、図１に示すように、該方法１００は、
ネットワーク装置から送信された第１シグナリングを受信するＳ１１０と、
該第１シグナリングに基づいてターゲットＰＢＲを決定するＳ１２０と、
該ターゲットＰＢＲに基づいて、該論理チャネルに許可リソースを割り当てる案を決定するＳ１３０と、を含む。
【００５５】
ＵＲＬＬＣとｅＭＢＢのようなＱｏＳの差が大きいサービスの場合、対応リソースが異なるタイプのｎｕｍｅｒｏｌｏｇｙを使用できるため、異なるタイプのサービスに対応するリソースに応じて、論理チャネルにＰＢＲを動的に設定してもよい。
【００５６】
具体的には、端末装置がネットワーク装置から送信された第１シグナリングを受信し、該第１シグナリングは、該端末装置がターゲットＰＢＲを決定することに用いられる。端末装置は該第１シグナリングを検出することができ、ターゲットＰＢＲを示す指示情報が該第１シグナリングに含まれる場合は、端末装置は該指示情報に基づいて該ターゲットＰＢＲを決定し、該指示情報が該第１シグナリングに含まれない場合は、デフォルトのＰＢＲをターゲットＰＢＲとして決定する。選択肢として、端末装置は、ネットワーク装置から送信された上位層シグナリングに基づいて、各論理チャネルに複数のＰＢＲを決定してもよく、該複数のＰＢＲは更に、複数の基本パラメータセット（ｎｕｍｅｒｏｌｏｇｙ）に１対１で対応してもよく、該複数のＰＢＲは更に、複数のＴＴＩに１対１で対応してもよい。端末装置はネットワーク装置から送信された第１シグナリングを受信し、該第１シグナリングに基づいて、該端末装置は該複数のＰＢＲの中でターゲットＰＢＲを決定すると、該端末装置は該第１シグナリングに基づいてターゲットＰＢＲを決定し、それに対応して、該ターゲットＰＢＲに対応するターゲットｎｕｍｅｒｏｌｏｇｙを更に決定してもよく、該ターゲットＰＢＲに対応するターゲットＴＴＩを更に決定してもよい。端末装置は、ネットワーク装置から割り当てられた許可リソースを受信し、決定した該ターゲットＰＢＲに基づいて、更にターゲットｎｕｍｅｒｏｌｏｇｙおよびターゲットＴＴＩに基づいて、該論理チャネルに許可リソースを割り当てる案を決定することができる。
【００５７】
従って、本願実施例の論理チャネルにリソースを割り当てる方法では、端末装置がネットワーク装置から送信されたシグナリングに基づいて論理チャネルにターゲットＰＢＲを決定し、これで、端末装置が該ターゲットＰＢＲに基づいて論理チャネルに許可リソースを割り当てることができ、これにより、論理チャネルの優先度を動的に調整することが可能となり、異なるサービスニーズを満たすことができる。
【００５８】
Ｓ１１０において、端末装置はネットワーク装置から送信された第１シグナリングを受信し、該第１シグナリングは端末装置がターゲットＰＢＲを決定することに用いられ、選択肢として、該第１シグナリングは、第１層の物理層（Ｐｈｙｓｉｃａｌ  Ｌａｙｅｒ）または第２層の媒体アクセス制御層（Ｍｅｄｉｕｍ  Ａｃｃｅｓｓ  Ｃｏｎｔｒｏｌ）のいずれかのシグナリングであってもよく、例えば、第１シグナリングはダウンリンク制御情報(ＤＣＩ、Ｄｏｗｎｌｉｎｋ  Ｃｏｎｔｒｏｌ  Ｉｎｆｏｒｍａｔｉｏｎ)であってもよい。具体的には、端末装置は該第１シグナリングを検出することができ、該第１シグナリングに、ターゲットＰＢＲを示す指示情報が含まれる場合、端末装置は該指示情報に基づいてターゲットＰＢＲを決定し、該第１シグナリングに該指示情報が含まれない場合、端末装置はデフォルトのＰＢＲをターゲットＰＢＲとして設定する。
【００５９】
本願実施例では、端末装置は論理チャネル に１つ以上のＰＢＲを決定することができ、例えば、端末装置はネットワーク装置から送信された上位層シグナリングを受信し、論理チャネルに該１つ以上のＰＢＲを決定することができる。端末装置が論理チャネルに１つのＰＢＲを決定すると、端末装置は該第１シグナリングに基づいてターゲットＰＢＲを決定し、該論理チャネルのＰＢＲをターゲットＰＢＲに変更することができる。具体的には、該第１シグナリングに指示情報が含まれる場合、指示情報に基づいて、ターゲットＰＢＲを決定し、該第１シグナリングに指示情報が含まれない場合、デフォルトのＰＢＲをターゲットＰＢＲとして決定する。
【００６０】
本願の実施例では、端末装置は論理チャネルに複数のＰＢＲを設定してもよく、例えば、端末装置は、ネットワーク装置から送信された上位層シグナリングを受信して、論理チャネルに複数のＰＢＲを決定してもよく、選択肢として、該複数のＰＢＲは、複数のｎｕｍｅｒｏｌｏｇｙに１対１で対応してもよく、該複数のＰＢＲは、また複数のＴＴＩに１対１で対応してもよく、相応的に、端末装置はターゲットＰＢＲを決定し、該ターゲットＰＢＲはターゲットｎｕｍｅｒｏｌｏｇｙに対応し、該ターゲットＰＢＲはまたターゲットＴＴＩに対応してもよく、端末装置は該ターゲットｎｕｍｅｒｏｌｏｇｙとターゲットＴＴＩに基づいて、許可リソースにキャリアされるデータを転送してもよく、例えば、該ターゲットｎｕｍｅｒｏｌｏｇｙは、該許可リソースの物理層パラメータなどを規定してもよい。
【００６１】
選択肢として、論理チャネルの複数のＰＢＲは、複数のｎｕｍｅｒｏｌｏｇｙに１対１で対応し、該対応関係には、等しいＰＢＲの値が等しくないｎｕｍｅｒｏｌｏｇｙに対応、または等しいｎｕｍｅｒｏｌｏｇｙが等しくないＰＢＲの値に対応することが含まれてもよく、類似的に、等しいＰＢＲの値が等しくないＴＴＩの値に対応、または等しいＴＴＩの値が等しくないＰＢＲの値に対応してもよく、本願の実施例はこれに限定されない。
【００６２】
例えば、以下の表１に示すように、端末装置はいずれかの論理チャネルに複数のＰＢＲを決定し、それに対応して 、該論理チャネルに複数のＰＢＲに１対１で対応するｎｕｍｅｒｏｌｏｇｙおよびＴＴＩを設定してもよい。端末装置は、該複数のＰＢＲの中でデフォルトＰＢＲを設定してもよく、例えば、表１に示すように、１行目のＰＢＲが５００ｂｉｔｓ／ｍｓに等しく、即ちデフォルトＰＢＲであり、それに対応して、デフォルトｎｕｍｅｒｏｌｏｇｙは１５ＫＨｚであり、デフォルトＴＴＩは１ｍｓである。選択肢として、表１に示すように、該第１列は、複数のＰＢＲに対応するインデックスであってもよく、またはｎｕｍｅｒｏｌｏｇｙのインデックスであってもよく、すなわち、第１列のインデックスに基づいて、１つのＰＢＲ値、および対応するｎｕｍｅｒｏｌｏｇｙおよびＴＴＩを一意に決定することができる。
【００６３】
【表１】
0006980810.tif 000002
【００６４】
具体的には、ネットワーク装置は異なるサービスニーズに応じて、対応する許可リソースを端末装置に割り当てることができ、異なる許可リソースについて、端末装置は論理チャネルに関連パラメータを動的に調整することができ、例えば、該端末装置はネットワーク装置から送信されたシグナリングに基づいて論理チャネルのＰＢＲを決定することができる。
【００６５】
選択肢として、端末装置は、該第１シグナリングにおける指示情報に基づいて、複数のＰＢＲの中でターゲットＰＢＲを決定してもよく、該指示情報は該ターゲットＰＢＲのインデックスであってもよく、即ち、インデックス情報に対応するＰＢＲをターゲットＰＢＲとして決定してもよい。例えば、表１に示すように、第１列はＰＢＲのインデックスを表すことができ、該指示情報がインデックス３である場合、ターゲットＰＢＲは１０００ ｂｉｔｓ／ｍｓであると決定でき、それに対応して、ターゲットｎｕｍｅｒｏｌｏｇｙは６０ ＫＨｚで、ターゲットＴＴＩは０．２５ ｍｓであると更に決定できる。
【００６６】
選択肢として、該指示情報は更に、ターゲットｎｕｍｅｒｏｌｏｇｙのインデックスであってもよく、すなわち、該インデックス情報に対応するｎｕｍｅｒｏｌｏｇｙをターゲットｎｕｍｅｒｏｌｏｇｙとして決定してもよく、そうすると、ｎｕｍｅｒｏｌｏｇｙとＰＢＲとの対応関係から、該ターゲットｎｕｍｅｒｏｌｏｇｙに対応するＰＢＲをターゲットＰＢＲとして決定してもよく、更に、ＰＢＲとＴＴＩとの対応関係から、該ターゲットＰＢＲに対応するＴＴＩをターゲットＴＴＩとして決定してもよい。例えば、表１に示すように、第１列はｎｕｍｅｒｏｌｏｇｙのインデックスを表してもよく、該指示情報がインデックス２である場合、ターゲットＰＢＲは７００ｂｉｔｓ／ｍｓであると決定でき、それに対応して、ターゲットｎｕｍｅｒｏｌｏｇｙは３０ ＫＨｚで、ターゲットＴＴＩは０．５ｍｓであると更に決定できる。
【００６７】
選択肢として、該指示情報は更にＴＴＩであってもよく、即ち、該指示情報に基づいてターゲットＴＴＩを決定でき、そうすると、ＴＴＩとＰＢＲとの対応関係に基づいて、該ターゲットＴＴＩに対応するＰＢＲをターゲットＰＢＲとして決定でき、更に、ＰＢＲとｎｕｍｅｒｏｌｏｇｙとの対応関係に基づいて、該ターゲットＰＢＲに対応するｎｕｍｅｒｏｌｏｇｙをターゲットｎｕｍｅｒｏｌｏｇｙとして決定できる。例えば、該指示情報がＴＴＩ＝０．５ｍｓであれば、それに対応して、ターゲットＰＢＲは７００ｂｉｔｓ／ｍｓであると決定でき、それに対応して、ターゲットｎｕｍｅｒｏｌｏｇｙは３０ＫＨｚであると更に決定できる。
【００６８】
選択肢として、該指示情報は、ハイブリッド自動再送要求(ＨＡＲＱ、ＨｙｂｒｉｄＡｕｔｏｍａｔｉｃ  Ｒｅｐｅａｔ  ｒｅＱｕｅｓｔ)のプロセス番号であってもよく、該ＨＡＲＱのプロセス番号はｎｕｍｅｒｏｌｏｇｙと対応関係があり、そうすると、端末装置は、該第１シグナリングに含まれるＨＡＲＱのプロセス番号に基づいて、対応するｎｕｍｅｒｏｌｏｇｙをターゲットｎｕｍｅｒｏｌｏｇｙとして決定でき、更に、該ターゲットｎｕｍｅｒｏｌｏｇｙとＰＢＲとの対応関係に基づいて、該ターゲットｎｕｍｅｒｏｌｏｇｙに対応するＰＢＲをターゲットＰＢＲとして決定してもよく、更に、ＰＢＲとＴＴＩとの対応関係に基づいて、該ターゲットＰＢＲに対応するＴＴＩをターゲットＴＴＩとして決定してもよい。
【００６９】
Ｓ１２０において、端末装置は、該第１シグナリングに基づいてターゲットＰＢＲを決定する。
【００７０】
具体的には、端末装置は、該第１シグナリングを検出し、該第１シグナリングに指示情報が含まれる場合、該指示情報に示されるターゲットＰＢＲを決定し、該第１シグナリングに指示情報が含まれない場合、デフォルトＰＢＲをターゲットＰＢＲとして決定する。
【００７１】
選択肢として、端末装置は決定されたターゲットＰＢＲを変更することもできる。具体的には、ネットワーク装置から送信された第２シグナリングを受信し、該第２シグナリングは、端末装置がターゲットＰＢＲを調整するのを指示することに用いられ、そうすると、端末装置は該第２シグナリングを受信して、ターゲットＰＢＲを無限大(ｉｎｆｉｎｉｔｙ)に設定でき、そうすると、変更したターゲットＰＢＲ、例えば、ｉｎｆｉｎｉｔｙに設定されたターゲットＰＢＲに基づいて、論理チャネルにリソースを割り当てる案を決定する。選択肢として、該第２シグナリングは、第１層の物理層（Ｐｈｙｓｉｃａｌ  Ｌａｙｅｒ）または第２層の媒体アクセス制御層（Ｍｅｄｉｕｍ  Ａｃｃｅｓｓ  Ｃｏｎｔｒｏｌ）のいずれかのシグナリングであってもよい。
【００７２】
例えば、ＵＲＬＬＣに対応する論理チャネルのＰＢＲに対して、ネットワーク装置は該第２シグナリングを通して、端末装置に該論理チャネルのＰＢＲをｉｎｆｉｎｉｔｙに設定するように指示し、そうすると、既存のＬＣＰソート基準に従い、十分な許可リソースがあれば、端末装置は該論理チャネルのデータを完全にスケジューリングし、これにより、ＵＲＬＬＣクラスのサービスの遅延などの要求を満たす。
【００７３】
更に例えば、端末装置は、ネットワーク装置から送信された第２シグナリングを受信し、該第２シグナリングにおける事前設定ルールに基づいて、ある論理チャネルのターゲットＰＢＲをｉｎｆｉｎｉｔｙに変更してもよく、例えば、該事前設定ルールは、ある論理チャネルにビデオサービスがキャリアされ、且つ該論理チャネルにビデオサービスのＩフレームが含まれる場合、該論理チャネルのターゲットＰＢＲをｉｎｆｉｎｉｔｙに設定できることである。
【００７４】
ここで、Ｉフレームは、ｉｎｔｒａ  ｐｉｃｔｕｒｅとも呼ばれる、フレーム内符号化のフレームであり、通常は各ＧＯＰ (動画専門家集団(ＭＰＥＧ、Ｍｏｖｉｎｇ  Ｐｉｃｔｕｒｅ  Ｅｘｐｅｒｔｓ  Ｇｒｏｕｐ)に採用される一種のビデオ圧縮技術)の最初のフレームであり、適度に圧縮されることによって、ランダムアクセスの基準点として、画像と見なすことができる。Ｉフレームは一つの画像が圧縮されてできたものと見なすことができ、それ自身がビデオ解凍アルゴリズムによって一つの単独で完全な画像に解凍することができる。
【００７５】
その他、Ｐフレーム（Ｐ  ｆｒａｍｅ、ｐｒｅｄｉｃｔｉｖｅ−ｆｒａｍｅ）と呼ばれる前方予測符号化フレームもあり、画像シーケンスの前の符号化されたフレームとの時間冗長情報を十分に低減することで転送データ量を圧縮する符号化フレームであり、予測フレームとも呼ばれ、完全な画像を生成するために、その前の１つのＩフレームまたはＢフレームを参照する必要がある。またＢフレーム(Ｂ  ｆｒａｍｅ、ｂｉ−ｄｉｒｅｃｔｉｏｎａｌ  ｉｎｔｅｒｐｏｌａｔｅｄ  ｐｒｅｄｉｃｔｉｏｎ  ｆｒａｍｅとも呼ばれる)双方向予測補間符号化フレームは、ソース画像シーケンスの前の符号化されたフレームとの間の時間的冗長情報だけではなく、ソース画像シーケンスの後の符号化されたフレームとの間の時間的冗長情報も考慮して転送データ量を圧縮する符号化フレームであり、双方向予測フレームとも呼ばれる。
【００７６】
具体的には、Ｉ−ｆｒａｍｅはＰ／Ｂ−ｆｒａｍｅよりも多くの情報を含むため、無線転送システムはそれに高い転送優先度を与えるべきである。しかし、該３種類のフレームは同じ無線ベアラに属するため、Ｉ−ｆｒａｍｅとＰ／Ｂ−ｆｒａｍｅは同じパケットデータ収束プロトコル(ＰＤＣＰ、Ｐａｃｋｅｔ  Ｄａｔａ  Ｃｏｎｖｅｒｇｅｎｃｅ  Ｐｒｏｔｏｃｏｌ)エンティティによって処理され、パケットロスのメカニズムにおいて、従来技術の処理メカニズムは異なるフレームタイプを区別しない。本願の実施例では、端末装置は、該第２シグナリングに基づいて、論理チャネルがビデオサービスのＩフレームを含むことを判定した場合、該論理チャネルのターゲットＰＢＲをｉｎｆｉｎｉｔｙに設定することができる。
【００７７】
選択肢として、端末装置は更に他の方法で、論理チャネルのその他の関連パラメータを変更してもよく、例えば、端末装置は更に、ネットワーク装置から送信された第３シグナリングを受信してもよく、該第３シグナリングは端末装置が論理チャネルの変数Ｂｊを調整するのを指示することに用いられ、該Ｂｊは、論理チャネルに対応するトークンバケットにおける利用可能なトークン数を表すことができ、すなわち  、ＭＡＣエンティティは論理チャネルのために１つの変数Ｂｊを維持でき、Ｂｊの初期値は０に設定され、ＴＴＩの増加に伴って増加し、毎回のＢｊ増加量はＰＢＲ  ＊  ＴＴＩで、その上限はＰＢＲ＊ＢＳＤであり、端末装置はネットワーク装置から送信された第３シグナリングに基づいて、論理チャネルに対応するＢｊを０以下の値に調整すると、既存のＬＣＰソート基準に従って、初回のリソース割り当て時はＢｊがゼロより大きい論理チャネルのみに許可リソースを割り当てる。選択肢として、該第３シグナリングは、第１層の物理層（Ｐｈｙｓｉｃａｌ  Ｌａｙｅｒ）または第２層の媒体アクセス制御層（Ｍｅｄｉｕｍ  Ａｃｃｅｓｓ  Ｃｏｎｔｒｏｌ）のいずれかのシグナリングであってもよい。
【００７８】
例えば、ｅＭＢＢに対応する論理チャネルのＢｊを調整することができ、例えばＢｊを０に調整すると、該Ｂｊに対応する論理チャネルは、最初の許可リソースの割り当てでは何のリソースも割り当てられず、それに対応して、ＵＲＬＬＣに対応する論理チャネルは、最初の許可リソースの割り当てでリソースが割り当てられ、ＵＲＬＬＣクラスのサービスの遅延などの要求を満たすことができる。
【００７９】
更に例えば、端末装置は、ネットワーク装置から送信された第３シグナリングを受信し、該第３シグナリングにおける事前設定ルールに基づいて、ある論理チャネルのＢｊの値を変更してもよく、例えば、該事前設定ルールは、ある論理チャネルがビデオサービスのＩフレーム( Ｉ  ｆｒａｍｅ )を含み、及び、ある論理チャネルがビデオサービスのＰ／Ｂフレームを含む場合、端末装置は、Ｐ／Ｂフレームに対応する論理チャネルのＢｊを０以下に設定し、それに対応して、Ｉフレームに対応する論理チャネルには許可リソースは限定的に割り当てられることである。
【００８０】
Ｓ１３０では、端末装置は、該ターゲットＰＢＲに基づいて、該論理チャネルに許可リソースを割り当てる案を決定する。具体的には、端末装置は論理チャネルにターゲットＰＢＲを決定し、更に論理チャネルの優先度( ｐｒｉｏｒｉｔｙ )とＢＳＤを決定でき、ｐｒｉｏｒｉｔｙは論理チャネルにおける、データがスケジューリングされる順序を決定でき、ｐｒｉｏｒｉｔｙが大きいほど優先度が低く、ＰＢＲ＊ＢＳＤは各論理チャネルに対してのスケジューリングできるリソースの上限を決定する。例えば、従来のＬＴＥの設定手順と類似的に、ネットワーク装置から送信された上位層シグナリングに基づいて、端末装置は論理チャネルのｐｒｉｏｒｉｔｙおよびＢＳＤを決定することができる。更に、端末装置はターゲットｎｕｍｅｒｏｌｏｇｙおよびターゲットＴＴＩを決定することもできる。
【００８１】
端末装置は、ターゲットＰＢＲ、及び論理チャネルのｐｒｉｏｒｉｔｙとＢＳＤに基づいて、更にターゲットｎｕｍｅｒｏｌｏｇｙとターゲットＴＴＩに基づいて、更に論理チャネルのＢｊに基づいて、論理チャネルに許可リソースを割り当てることができる。例えば、端末装置は、従来のＬＴＥ  ＬＣＰソートのプロセスに基づいて論理チャネルのスケジューリングを行い、論理チャネルに許可リソースを割り当てることができるが、本願の実施例はこれに限定されない。
【００８２】
従って、本願の実施例の論理チャネルにリソースを割り当てる方法では、ネットワーク装置が端末装置にシグナリングを送信して、端末装置が該シグナリングに基づいて論理チャネルにターゲットＰＢＲを決定できるようにし、それに対応して、ターゲットｎｕｍｅｒｏｌｏｇｙおよびターゲットＴＴＩを更に決定でき、これで、端末装置は、該ターゲットＰＢＲ、ターゲットｎｕｍｅｒｏｌｏｇｙおよびターゲットＴＴＩに基づいて論理チャネルに許可リソースを割り当てることができ、これにより、論理チャネルの優先度を動的に調整することを実現し、例えば、ＵＲＬＬＣに対応する論理チャネルとｅＭＢＢに対応する論理チャネルに対して、それぞれ異なるＰＢＲを設定して、異なるサービスニーズを満たすことができる。
【００８３】
図２は、本願実施例の、論理チャネルにリソースを割り当てる方法２００の模式的なローチャートを示し、該方法２００はネットワーク装置によって実行でき、具体的には、図２に示すように、該方法２００は、
第１シグナリングを決定し、該第１シグナリングは、端末装置が論理チャネルのターゲット優先ビットレートＰＢＲを決定することに用いられ、該ターゲットＰＢＲは、該端末装置が該論理チャネルに該許可リソースを割り当てる案を決定することに用いられるＳ２１０と、
該端末装置に該第１シグナリングを送信するＳ２２０と、を含む。
【００８４】
従って、本願実施例の論理チャネルにリソースを割り当てる方法では、ネットワーク装置が端末装置にシグナリングを送信して、端末装置が該シグナリングに基づいて論理チャネルにターゲットＰＢＲを決定できるようにし、これで、端末装置は該ターゲットＰＢＲに基づいて論理チャネルに許可リソースを割り当てることができ、これにより、論理チャネルの優先度を動的に調整することを実現し、異なるサービスニーズを満たすことができる。
【００８５】
選択肢として、該端末装置に該第１シグナリングを送信する前に、該方法は、該端末装置に上位層シグナリングを送信し、該上位層シグナリングは該論理チャネルの複数のＰＢＲを示すことに用いられるステップを更に含み、該第１シグナリングは、該端末装置が該複数のＰＢＲの中で該ターゲットＰＢＲを決定することに用いられる。
【００８６】
選択肢として、該第１シグナリングは指示情報を含み、該指示情報はターゲットＰＢＲを示すことに用いられる。
【００８７】
選択肢として、該複数のＰＢＲは複数の基本パラメータセットに１対１で対応し、該ターゲットＰＢＲはターゲット基本パラメータセットに対応する。
【００８８】
選択肢として、該複数のＰＢＲは複数の転送時間間隔ＴＴＩに１対１で対応し、該ターゲットＰＢＲはターゲットＴＴＩに対応する。
【００８９】
選択肢として、該指示情報は、該ターゲットＰＢＲに対応するインデックスである。
【００９０】
選択肢として、該指示情報は、該ターゲット基本パラメータセットのインデックスである。
【００９１】
選択肢として、該指示情報は該ターゲットＴＴＩである。
【００９２】
選択肢として、該指示情報は、ハイブリッド自動再送要求ＨＡＲＱのプロセス番号であり、該ＨＡＲＱのプロセス番号は、該ターゲット基本パラメータセットに対応する。
【００９３】
選択肢として、該方法は、該端末装置に第２シグナリングを送信し、該第２シグナリングは該端末装置が該ターゲットＰＢＲを無限大に設定するのを指示することに用いられるステップを更に含む。
【００９４】
具体的に、該第２シグナリングは事前設定ルールを含んでもよく、該事前設定ルールは、Ｉフレームを含む論理チャネルに対して、端末装置は該論理チャネルのターゲットＰＢＲを無限大に設定することであってもよい。
【００９５】
選択肢として、該方法は、該端末装置に第３シグナリングを送信し、該第３シグナリングは該端末装置が該論理チャネルの変数Ｂｊを０以下に設定するのを指示することに用いられ、該Ｂｊは該論理チャネルに対応するトークンバケットにおける利用できるトークンの数を表すステップを更に含む。
【００９６】
具体的に、該第３シグナリングは事前設定ルールを含んでもよく、該事前設定ルールは、Ｉフレームを含む論理チャネル、及びＢ／Ｐフレームを含む論理チャネルに対して、端末装置はＢ／Ｐフレームを含む論理チャネルのＢｊの値を０以下に設定することであってもよい。
【００９７】
理解すべきなのは、本願の実施例におけるネットワーク装置は方法１００におけるネットワーク装置に対応し、方法１００におけるネットワーク装置に対応する方法が実行可能であるため、ここでの説明は省略する。
【００９８】
従って、本願実施例の論理チャネルにリソースを割り当てる方法では、ネットワーク装置が端末装置にシグナリングを送信し、該シグナリングによって、端末装置が該シグナリングに基づいて論理チャネルにターゲットＰＢＲを決定するのを指示し、これで、端末装置は該ターゲットＰＢＲに基づいて論理チャネルに許可リソースを割り当てることができ、これにより、論理チャネルの優先度を動的に調整することを実現し、異なるサービスニーズを満たすことができる。
【００９９】
理解すべきなのは、本願の様々な実施例において、上記の各プロセスの番号は実行順序の後先を意味するものではなく、各プロセスの実行順序はその機能と内的論理によって決定されるべきであり、本願の実施例の実施プロセスに対して何らの限定となるべきではない。 
【０１００】
以上は図１〜図２を参照しながら、本願実施例の論理チャネルにリソースを割り当てる方法を詳細に説明したが、以下は図３〜図６を参照しながら、本願実施例の論理チャネルにリソースを割り当てる装置を詳細に説明する。
【０１０１】
図３は、本願実施例の提供する端末装置３００を示し、該端末装置３００は、
ネットワーク装置から送信された第１シグナリングを受信する受信ユニット３１０と、
該第１シグナリングに基づいてターゲットＰＢＲを決定する決定ユニット３２０と、を含み、
該決定ユニット３２０は更に、該ターゲットＰＢＲに基づいて該論理チャネルに許可リソースを割り当てる案を決定することに用いられる。
【０１０２】
従って、本願実施例の端末装置は、ネットワーク装置から送信されたシグナリングを受信し、該シグナリングに基づいて論理チャネルにターゲットＰＢＲを決定し、これで、端末装置は該ターゲットＰＢＲに基づいて論理チャネルに許可リソースを割り当てることができ、これにより、論理チャネルの優先度を動的に調整することを実現し、異なるサービスニーズを満たすことができる。 
【０１０３】
選択肢として、該決定ユニット３２０は更に、論理チャネルの複数の優先ビットレートＰＢＲを決定し、該第１シグナリングに基づいて、該複数のＰＢＲの中で該ターゲットＰＢＲを決定することに用いられる。
【０１０４】
選択肢として、該決定ユニット３２０は具体的に、該第１シグナリングに指示情報が含まれると判定した場合、該指示情報に基づいて該ターゲットＰＢＲを決定し、該指示情報はターゲットＰＢＲを示すことに用いられ、該第１シグナリングに該指示情報が含まれないと判定した場合、該複数のＰＢＲの中のデフォルトＰＢＲが該ターゲットＰＢＲであると決定することに用いられる。
【０１０５】
選択肢として、該複数のＰＢＲは複数の基本パラメータセットに１対１で対応し、該決定ユニット３２０は更に、該複数のＰＢＲと該複数の基本パラメータセットとの対応関係に基づいて、該ターゲットＰＢＲに対応するターゲット基本パラメータセットを決定し、該ターゲット基本パラメータセットに基づいて、該許可リソースにキャリアされたデータを転送することに用いられる。
【０１０６】
選択肢として、該複数のＰＢＲは複数の転送時間間隔ＴＴＩに１対１で対応し、該決定ユニット３２０は更に、該複数のＰＢＲと該複数のＴＴＩとの間の対応関係に基づいて、該ターゲットＰＢＲに対応するターゲットＴＴＩを決定し、該ターゲットＴＴＩに基づいて、許可リソースにキャリアされたデータを転送することに用いられる。
【０１０７】
選択肢として、該指示情報は、該ターゲットＰＢＲに対応するインデックスである。
【０１０８】
選択肢として、該指示情報は、該ターゲット基本パラメータセットのインデックスである。
【０１０９】
選択肢として、該指示情報は、該ターゲットＴＴＩである。
【０１１０】
選択肢として、該指示情報は、ハイブリッド自動再送要求ＨＡＲＱのプロセス番号であり、該ＨＡＲＱのプロセス番号は、該ターゲット基本パラメータセットに対応する。
【０１１１】
選択肢として該受信ユニット３１０は更に、該ネットワーク装置から送信された第２シグナリングを受信することに用いられ、該第２シグナリングは該ターゲットＰＢＲを調整するのを指示することに用いられ、該決定ユニット３２０は更に、該第２シグナリングに基づいて、該ターゲットＰＢＲを無限大に設定することに用いられる。
【０１１２】
選択肢として、該受信ユニット３１０は更に、ネットワーク装置から送信された第３シグナリングを受信することに用いられ、該第３シグナリングは該論理チャネルの変数Ｂｊを調整するのを指示することに用いられ、該Ｂｊは該論理チャネルに対応するトークンバケットにおける利用可能なトークンの数を表し、該決定ユニット３２０は更に、該第３シグナリングに基づいて、該Ｂｊを０以下に設定し、該ターゲットＰＢＲ及び該Ｂｊに基づいて、該論理チャネルに該許可リソースを割り当てる案を決定することに用いられる。
【０１１３】
選択肢として、該決定ユニット３２０は具体的に、該ネットワーク装置から送信された、該複数のＰＢＲを示すための上位層シグナリングを受信し、該上位層シグナリングに基づいて、該複数のＰＢＲを決定することに用いられる。
【０１１４】
選択肢として、該決定ユニット３２０は更に、該論理チャネルの優先度と該論理チャネルのトークンバケットの長さＢＳＤを決定し、該ターゲットＰＢＲ、該優先度、及び該ＢＳＤに基づいて、該論理チャネルに許可リソースを割り当てる案を決定することに用いられる。
【０１１５】
理解すべきなのは、本願実施例の端末装置３００は、本願実施例での方法１００を実行することに対応することができ、且つ端末装置３００における各ユニットの上記及びその他の操作、及び／又は機能は、それぞれ図１での方法のフローチャートを実現するためのものであり、簡潔にするために、ここでは説明を省略する。
【０１１６】
従って、本願実施例の端末装置は、ネットワーク装置から送信されたシグナリングを受信し、そして該シグナリングに基づいて、論理チャネルにターゲットＰＢＲを決定し、それに対応して 、ターゲットｎｕｍｅｒｏｌｏｇｙおよびターゲットＴＴＩを更に決定でき、これで、端末装置は、該ターゲットＰＢＲ、ターゲットｎｕｍｅｒｏｌｏｇｙおよびターゲットＴＴＩに基づいて、論理チャネルに許可リソースを割り当てることができ、これにより、論理チャネルの優先度を動的に調整することを実現し、例えば、ＵＲＬＬＣに対応する論理チャネルとｅＭＢＢに対応する論理チャネルに対して、それぞれ異なるＰＢＲを設定して、異なるサービスニーズを満たすことができる。
【０１１７】
図４は、本願実施例の提供するネットワーク装置４００を示し、該ネットワーク装置４００は、
第１シグナリングを決定することに用いられ、該第１シグナリングは、端末装置が論理チャネルのターゲット優先ビットレートＰＢＲを決定することに用いられ、該ターゲットＰＢＲは、該端末装置が該論理チャネルに該許可リソースを割り当てる案を決定することに用いられる決定ユニット４１０と、
該端末装置に該第１シグナリングを送信する送信ユニット４２０と、を含む。
【０１１８】
従って、本願実施例のネットワーク装置は、端末装置にシグナリングを送信して、端末装置が該シグナリングに基づいて論理チャネルにターゲットＰＢＲを決定するようにし、これで、端末装置は該ターゲットＰＢＲに基づいて論理チャネルに許可リソースを割り当てることができ、これにより、論理チャネルの優先度を動的に調整することを実現し、異なるサービスニーズを満たすことができる。
【０１１９】
選択肢として、該送信ユニット４２０は更に、該端末装置に該第１シグナリングを送信する前に、該端末装置に上位層シグナリングを送信することに用いられ、該上位層シグナリングは該論理チャネルの複数のＰＢＲを示すことに用いられ、該第１シグナリングは、該端末装置が該複数のＰＢＲの中でターゲットＰＢＲを決定することに用いられる。
【０１２０】
選択肢として、該第１シグナリングは指示情報を含み、該指示情報はターゲットＰＢＲを示すことに用いられる。
【０１２１】
選択肢として、該複数のＰＢＲは複数の基本パラメータセットに１対１で対応し、該ターゲットＰＢＲはターゲット基本パラメータセットに対応する。
【０１２２】
選択肢として、該複数のＰＢＲは、複数の転送時間間隔ＴＴＩに１対１で対応し、該ターゲットＰＢＲはターゲットＴＴＩに対応する。
【０１２３】
選択肢として、該指示情報は、該ターゲットＰＢＲに対応するインデックスである。
【０１２４】
選択肢として、該指示情報は、該ターゲット基本パラメータセットのインデックスである。
【０１２５】
選択肢として、該指示情報は、該ターゲットＴＴＩである。
【０１２６】
選択肢として、該指示情報は、ハイブリッド自動再送要求ＨＡＲＱのプロセス番号であり、該ＨＡＲＱのプロセス番号は、該ターゲット基本パラメータセットに対応する。
【０１２７】
選択肢として、該送信ユニット４２０は更に、該端末装置に第２シグナリングを送信することに用いられ、該第２シグナリングは、該端末装置が該ターゲットＰＢＲを無限大に設定するのを指示することに用いられる。
【０１２８】
選択肢として、該送信ユニット４２０は更に、該端末装置に第３シグナリングを送信することに用いられ、該第３シグナリングは、該端末装置が該論理チャネルの変数Ｂｊを０以下に設定するのを指示することに用いられ、該Ｂｊは、該論理チャネルに対応するトークンバケットにおける利用可能なトークン数を表す。
【０１２９】
理解すべきなのは、本願実施例のネットワーク装置４００は、本願実施例の方法２００を実行することに対応することができ、且つネットワーク装置４００における各ユニットの上記とその他の操作及び／又は機能は、それぞれ図２での方法のフローチャートを実現するためのものであり、簡潔にするために、ここでは説明を省略する。
【０１３０】
従って、本願実施例のネットワーク装置は端末装置にシグナリングを送信して、端末装置が該シグナリングに基づいて論理チャネルにターゲットＰＢＲを決定することができるようにし、それに対応して、ターゲットｎｕｍｅｒｏｌｏｇｙおよびターゲットＴＴＩを更に決定でき、これで、端末装置は該ターゲットＰＢＲ、ターゲットｎｕｍｅｒｏｌｏｇｙおよびターゲットＴＴＩに基づいて、論理チャネルに許可リソースを割り当てることができ、  これにより、論理チャネルの優先度を動的に調整することを実現し、例えば、ＵＲＬＬＣに対応する論理チャネルとｅＭＢＢに対応する論理チャネルに対して、それぞれ異なるＰＢＲを設定して、異なるサービスニーズを満たすことができる。
【０１３１】
図５は、本願実施例の端末装置５００の模式的なブロック図を示し、図５に示すように、該端末装置５００は、プロセッサ５１０と送受信機５２０とを含み、プロセッサ５１０と送受信機５２０とは接続し、選択肢として、該端末装置５００はメモリ５３０を更に含み、メモリ５３０とプロセッサ５１０とは接続する。プロセッサ５１０、メモリ５３０と送受信機５２０との間は、内部接続パスを介して相互に通信し、制御及び／又はデータ信号を伝達し、該メモリ５３０は命令を記憶することに用いられ、該プロセッサ５１０は該メモリ５３０に記憶される命令を実行して送受信機５２０が情報または信号を送信するのを制御することに用いられ、送受信機５２０はネットワーク装置から送信された第１シグナリングを受信することに用いられ、該プロセッサ５１０は、第１シグナリングに基づいてターゲットＰＢＲを決定し、該ターゲットＰＢＲに基づいて該論理チャネルに許可リソースを割り当てる案を決定することに用いられる。
【０１３２】
従って、本願実施例の端末装置は、ネットワーク装置から送信されたシグナリングを受信し、該シグナリングに基づいて論理チャネルにターゲットＰＢＲを決定し、これで、端末装置は該ターゲットＰＢＲに基づいて論理チャネルに許可リソースを割り当てることができ、これにより、論理チャネルの優先度を動的に調整することを実現し、異なるサービスニーズを満たすことができる。 
【０１３３】
選択肢として、該プロセッサ５１０は更に、論理チャネルの複数の優先ビットレートＰＢＲを決定し、該第１シグナリングに基づいて、該複数のＰＢＲの中で該ターゲットＰＢＲを決定することに用いられる。
【０１３４】
選択肢として、該プロセッサ５１０は具体的には、該第１シグナリングにターゲットＰＢＲを示すための指示情報が含まれると判定した場合、該指示情報に基づいて該ターゲットＰＢＲを決定し、該第１シグナリングに該指示情報が含まれないと判定した場合、該複数のＰＢＲの中のデフォルトＰＢＲが該ターゲットＰＢＲであると決定するうことに用いられる。
【０１３５】
選択肢として、該複数のＰＢＲは複数の基本パラメータセットに１対１で対応し、該プロセッサ５１０は更に、該複数のＰＢＲと該複数の基本パラメータセットとの対応関係に基づいて、該ターゲットＰＢＲに対応するターゲット基本パラメータセットを決定し、該ターゲット基本パラメータセットに基づいて、該許可リソースにキャリアされたデータを転送することに用いられる。
【０１３６】
選択肢として、該複数のＰＢＲは複数の転送時間間隔ＴＴＩに１対１で対応し、該プロセッサ５１０は更に、該複数のＰＢＲと該複数のＴＴＩとの間の対応関係に基づいて、該ターゲットＰＢＲに対応するターゲットＴＴＩを決定し、該ターゲットＴＴＩに基づいて、該許可リソースにキャリアされたデータを転送することに用いられる。
【０１３７】
選択肢として、該指示情報は、該ターゲットＰＢＲに対応するインデックスである。
【０１３８】
選択肢として、該指示情報は、該ターゲット基本パラメータセットのインデックスである。
【０１３９】
選択肢として、該指示情報は、該ターゲットＴＴＩである。
【０１４０】
選択して、該指示情報は、ハイブリッド自動再送要求ＨＡＲＱのプロセス番号であり、該ＨＡＲＱのプロセス番号は、該ターゲット基本パラメータセットに対応する。
【０１４１】
選択肢として、該送受信機５２０は更に、該ネットワーク装置から送信された第２シグナリングを受信することに用いられ、該第２シグナリングは該ターゲットＰＢＲを調整するのを指示することに用いられ、該プロセッサ５１０は更に、該第２シグナリングに基づいて、該ターゲットＰＢＲを無限大に設定することに用いられる。
【０１４２】
選択肢として、該送受信機５２０は更に、ネットワーク装置から送信された第３シグナリングを受信することに用いられ、該第３シグナリングは該論理チャネルの変数Ｂｊを調整するのを指示することに用いられ、該Ｂｊは該論理チャネルに対応するトークンバケットにおける利用可能なトークンの数を表し、該プロセッサ５１０は更に、該第３シグナリングに基づいて、該Ｂｊを０以下に設定し、該ターゲットＰＢＲ及び該Ｂｊに基づいて、該論理チャネルに該許可リソースを割り当てる案を決定することに用いられる。
【０１４３】
選択肢として、該プロセッサ５１０は具体的に、該ネットワーク装置から送信された、該複数のＰＢＲを示すための上位層シグナリングを受信し、該上位層シグナリングに基づいて、該複数のＰＢＲを決定することに用いられる。
【０１４４】
選択肢として、該プロセッサ５１０は更に、該論理チャネルの優先度と該論理チャネルのトークンバケットの長さＢＳＤを決定し、該ターゲットＰＢＲ、該優先度、及び該ＢＳＤに基づいて、該論理チャネルに許可リソースを割り当てる案を決定することに用いられる。
【０１４５】
理解すべきなのは、本願実施例の 端末装置５００は、本願実施例の端末装置３００に対応することができ、且つ本願実施例の方法１００における相応の主体に対応することができ、そして端末装置５００における各ユニットの上記とその他の操作及び／又は機能は、それぞれ図１の各方法におけるスタート装置の相応のフローを実現するためのものであり、簡潔にするために、ここでは説明を省略する。
【０１４６】
従って、本願実施例の端末装置は、ネットワーク装置から送信されたシグナリングを受信し、該シグナリングに基づいて、論理チャネルにターゲットＰＢＲを決定し、それに対応して、ターゲットｎｕｍｅｒｏｌｏｇｙおよびターゲットＴＴＩを更に決定し、これで、端末装置は該ターゲットＰＢＲ、ターゲットｎｕｍｅｒｏｌｏｇｙおよびターゲットＴＴＩに基づいて、論理チャネルに許可リソースを割り当てることができ、これにより、論理チャネルの優先度を動的に調整することを実現し、例えば、ＵＲＬＬＣに対応する論理チャネルとｅＭＢＢに対応する論理チャネルに対して、それぞれ異なるＰＢＲを設定して、異なるサービスニーズを満たすことができる。
【０１４７】
図６は、本願実施例のネットワーク装置６００の模式的なブロック図を示す。図６に示すように、該ネットワーク装置６００は、プロセッサ６１０と送受信機６２０とを含み、プロセッサ６１０と送受信機６２０とは接続され、選択肢として、該ネットワーク装置６００はメモリ６３０を更に含み、メモリ６３０とプロセッサ６１０とは接続される。プロセッサ６１０、メモリ６３０と送受信機６２０との間は、内部接続パスを介して相互に通信し、制御及び／又はデータ信号を伝達し、該メモリ６３０は命令を記憶することに用いられ、該プロセッサ６１０は、該メモリ６３０に記憶される命令を実行して、送受信機６２０が情報または信号を送信するのを制御することに用いられ、該プロセッサ６１０は、第１シグナリングを決定することに用いられ、該第１シグナリングは、端末装置が論理チャネルのターゲット優先ビットレートＰＢＲを決定することに用いられ、該ターゲットＰＢＲは、該端末装置が該論理チャネルに許可リソースを割り当てる案を決定することに用いられ、該送受信機６２０は、該端末装置に該第１シグナリングを送信することに用いられる。
【０１４８】
従って、本願実施例のネットワーク装置は、端末装置にシグナリングを送信して、端末装置が該シグナリングに基づいて論理チャネルにターゲットＰＢＲを決定するようにし、これで、端末装置は該ターゲットＰＢＲに基づいて論理チャネルに許可リソースを割り当てることができ、これにより、論理チャネルの優先度を動的に調整することを実現し、異なるサービスニーズを満たすことができる。
【０１４９】
選択肢として、該送受信機６２０は更に、該端末装置に該第１シグナリングを送信する前に、該端末装置に上位層シグナリングを送信することに用いられ、該上位層シグナリングは該論理チャネルの複数のＰＢＲを示すことに用いられ、該第１シグナリングは、該端末装置が該複数のＰＢＲの中で該ターゲットＰＢＲを決定することに用いられる。
【０１５０】
選択肢として、該第１シグナリングは指示情報を含み、該指示情報はターゲットＰＢＲを示すことに用いられる。
【０１５１】
選択肢として、該複数のＰＢＲは複数の基本パラメータセットに１対１で対応し、該ターゲットＰＢＲはターゲット基本パラメータセットに対応する。
【０１５２】
選択肢として、該複数のＰＢＲは複数の転送時間間隔ＴＴＩに１対１で対応し、該ターゲットＰＢＲはターゲットＴＴＩに対応する。
【０１５３】
選択肢として、該指示情報は、該ターゲットＰＢＲに対応するインデックスである。
【０１５４】
選択肢として、該指示情報は、該ターゲット基本パラメータセットのインデックスである。
【０１５５】
選択肢として、該指示情報は、該ターゲットＴＴＩである。
【０１５６】
選択肢として、該指示情報は、ハイブリッド自動再送要求ＨＡＲＱのプロセス番号であり、該ＨＡＲＱのプロセス番号は、該ターゲット基本パラメータセットに対応する。
【０１５７】
選択肢として、該送受信機６２０は更に、該端末装置に第２シグナリングを送信することに用いられ、該第２シグナリングは、該端末装置が該ターゲットＰＢＲを無限大に設定するのを指示することに用いられる。
【０１５８】
選択肢として、該送受信機６２０は更に、該端末装置に第３シグナリングを送信することに用いられ、該第３シグナリングは、該端末装置が該論理チャネルの変数Ｂｊを０以下に設定するのを指示することに用いられ、該Ｂｊは該論理チャネルに対応するトークンバケットにおける利用できるトークンの数を表す。
【０１５９】
理解すべきなのは、本願実施例のネットワーク装置６００は、本願実施例のネットワーク装置４００に対応することができ、且つ本願実施例の方法２００における相応の主体に対応することができ、そしてネットワーク装置６００における各ユニットの上記とその他の操作及び／又は機能は、それぞれ図２の様々な方法におけるスタート装置の相応のフローを実現するためのものであり、簡潔にするために、ここでは説明を省略する。
【０１６０】
従って、本願実施例のネットワーク装置は、端末装置にシグナリングを送信して、端末装置が該シグナリングに基づいて論理チャネルにターゲットＰＢＲを決定することができるようにし、それに対応して、ターゲットｎｕｍｅｒｏｌｏｇｙおよびターゲットＴＴＩを更に決定でき、これで、端末装置は該ターゲットＰＢＲ、ターゲットｎｕｍｅｒｏｌｏｇｙおよびターゲットＴＴＩに基づいて、論理チャネルに許可リソースを割り当てることができ、これにより、論理チャネルの優先度を動的に調整することを実現し、例えば、ＵＲＬＬＣに対応する論理チャネルとｅＭＢＢに対応する論理チャネルに対して、それぞれ異なるＰＢＲを設定して、異なるサービスニーズを満たすことができる。
【０１６１】
当業者が意識できるように、本明細書で開示する実施例を参照して説明した様々な例のユニットおよびアルゴリズム・ステップは、電子ハードウェア、またはコンピュータソフトウェアと電子ハードウェアの組合せで実現できる。これらの機能はハードウェアで実行されるのかそれともソフトウェアで実行されるのかは、技術案の特定の応用と設計制約に依存する。専門技術者は、各特定の応用に応じて異なる方法を使用して、説明された機能を実現することができるが、そのような実現は本願の範囲を超えると考えるべきでない。
【０１６２】
当業者は明らかであるように、説明の便宜と簡潔のために、上記説明したシステム、装置及びユニットの具体的な動作手順は、前述した方法の実施例における対応の手順を参照でき、ここでは説明を省略する。
【０１６３】
本願で提供されるいくつかの実施例で開示されるシステム、装置および方法は、他の方法で実施されてもよいことが理解される。例えば、上記の装置の実施例は単に模式的なものであって、例えば、説明したユニットの区分は論理的な機能区分に過ぎず、実際の実施では他の区分があってもよく、例えば、複数のユニットまたは構成要素が組み合わせられても、他のシステムに統合されてもよく、またはいくつかの特徴が無視されても、または実行されなくてもよい。一方、表示または説明した相互間の結合または直接結合または通信接続は、いくつかのインターフェース、装置またはユニットを介した間接結合または通信接続であってもよく、電気的、機械的、または他の形態であってもよい。
【０１６４】
分離したものとして説明したユニットは、物理的に分離されてもされなくてもよく、ユニットとして表示したものは、物理的なユニットであってもでなくてもよく、即ち、一箇所にあってもよく、または複数のネットワークユニットに分布されてもよい。実際の必要に応じてその一部または全部のユニットを選択して、本実施例案の目的を実現することができる。
【０１６５】
なお、本願の各実施例における各機能ユニットは、１つの処理ユニットに統合されていてもよいし、各ユニットが単独で物理的に存在していてもよいし、２つ以上のユニットが１つのユニットに統合されていてもよい。
【０１６６】
上記の機能がソフトウェア機能ユニットの形で実現され、そして独立した製品として販売または使用される場合、コンピュータ読み取り可能な記憶媒体に記憶されてもよい。このような理解に基づいて、本願の技術案の本質的な部分又は従来技術に貢献している部分、又は該技術的態様の部分は、記憶媒体に記憶されたソフトウェア製品の形態で具現化されてもよく、該コンピュータ・ソフトウェア製品は、複数の命令を含んで、１台のコンピュータ装置(パーソナルコンピュータ、サーバ、又はネットワーク装置などであってもよい)に、本願の様々な実施例で説明した方法のステップの全部又は一部を実行させる。前述の記憶媒体は、ＵＳＢディスク、リムーバブルハードディスク、読み出し専用メモリ（ＲＯＭ、Ｒｅａｄ−Ｏｎｌｙ  Ｍｅｍｏｒｙ）、ランダムアクセスメモリ(ＲＡＭ、Ｒａｎｄｏｍ  Ａｃｃｅｓｓ  Ｍｅｍｏｒｙ)、磁気ディスクまたは光ディスクなど、プログラムコードを記憶できる各種の媒体を含む。
上記は、本願の具体的な実施例に過ぎず、本願の保護範囲はこれに限定されるものではなく、当業者は本願に開示された技術の範囲内で容易に想到し得る変化や置換はいずれも本願の保護範囲内に含まれるとすべきである。従って、本願の保護範囲は、特許請求の範囲に記載の範囲に準じるべきである。
【図１】
0006980810.tif 000003
【図２】
0006980810.tif 000004
【図３】
0006980810.tif 000005
【図４】
0006980810.tif 000006
【図５】
0006980810.tif 000007
【図６】
0006980810.tif 000008